【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
画像データを取得する画像データ取得手段と、
予め登録された文字列と、時間と、ユーザを識別するためのユーザ識別情報とを含む形式で表されるデフォルトのファイル名を受け、前記画像データ取得手段によって画像の取得が行われた場合、前記デフォルトのファイル名のうちの前記時間と前記ユーザ識別情報とを、前記画像データ取得手段によって画像の取得が行われた時間と前記画像データ取得手段による画像の取得を指示したユーザのユーザ識別情報とに設定し、設定されたファイル名を前記画像データ取得手段によって取得された前記画像データに付与するファイル名設定手段と、
を有することを特徴とする画像形成装置。
【請求項２】
前記ファイル名設定手段は、前記画像データ取得手段によって取得された画像データに対応する原稿の種類に応じた文字列を含む前記デフォルトのファイル名を受け、前記時間と前記ユーザ識別情報とを設定する、
ことを特徴とする請求項１に記載の画像形成装置。
【請求項３】
前記画像データ取得手段による画像の取得を含む画像処理の使用権限に関してユーザの認証処理を行う認証処理手段を更に有し、
前記認証処理手段によってユーザが認証された場合、前記ファイル名設定手段は、前記デフォルトのファイル名のうちの前記ユーザ識別情報を、前記認証処理手段によって認証されたユーザを識別するためのユーザ識別情報に設定する、
ことを特徴とする請求項１又は請求項２に記載の画像形成装置。
【請求項４】
前記ファイル名設定手段は、ユーザごとの前記デフォルトのファイル名を受け、前記認証処理手段によって認証されたユーザに対応する前記デフォルトのファイル名を用いて前記時間と前記ユーザ識別情報とを設定する、
ことを特徴とする請求項３に記載の画像形成装置。
【請求項５】
前記画像データ取得手段による画像の取得を含む画像処理の使用権限に関してユーザの認証処理を行う認証処理手段を更に有し、
前記認証処理手段によってユーザが認証されていない場合、前記ファイル名設定手段は、前記デフォルトのファイル名のうちの前記時間を、前記画像データ取得手段によって画像の読み取りが行われた時間に設定し、前記ユーザ識別情報を含まないファイル名を生成して前記画像データに付与する、
ことを特徴とする請求項１又は請求項２に記載の画像形成装置。
【請求項６】
予め登録された複数の文字列からユーザによって選択された文字列と、時間について複数の表示形式からユーザによって選択された表示形式で表される時間と、ユーザ識別情報について複数の表示形式からユーザによって選択された表示形式で表されるユーザ識別情報とを、ユーザによって選択された順番で結合することで前記デフォルトのファイル名を生成するファイル名生成手段を更に有する、
ことを特徴とする請求項１から請求項５のいずれか一項に記載の画像形成装置。
【請求項７】
コンピュータに、
予め登録された文字列と、時間と、ユーザを識別するユーザ識別情報とを含む形式で表されるデフォルトのファイル名を受けて、画像データ取得部によって画像の取得が行われた場合、前記デフォルトのファイル名のうちの前記時間と前記ユーザ識別情報とを、前記画像データ取得部によって画像の取得が行われた時間と前記画像データ取得部による画像の取得を指示したユーザのユーザ識別情報とに設定し、設定されたファイル名を前記画像データ取得部によって取得された前記画像データに付与するファイル名設定機能を、実現させることを特徴とするプログラム。
【請求項８】
原稿上の画像を読み取って画像データを生成する画像読取手段と、
予め登録された複数の文字列を表示し、当該複数の文字列から第１の文字列の選択を受け付ける操作手段と、
前記画像データのファイル名に前記第１の文字列と前記画像の読み取り時間情報とを含めるファイル名設定手段と、
を有することを特徴とする画像形成装置。
【請求項９】
前記操作手段は、複数の時間情報表示形式を更に表示し、当該複数の時間情報表示形式から第１の時間情報表示形式の選択を受け付け、
前記ファイル名設定手段は、前記読み取り時間情報として前記第１の時間情報表示形式に基づく時間情報を前記ファイル名に含める、
ことを特徴とする請求項８に記載の画像形成装置。
【請求項１０】
当該画像形成装置の使用権限に関するユーザの認証処理を行う認証処理手段を更に有し、
前記ファイル名設定手段は、前記認証処理手段によって認証されたユーザの識別情報を更に前記ファイル名に含める、
ことを特徴とする請求項８又は請求項９に記載の画像形成装置。
【請求項１１】
前記操作手段は、複数のユーザ識別情報表示形式を更に表示し、当該複数のユーザ識別情報表示形式から第１のユーザ識別情報表示形式の選択を受け付け、
前記ファイル名設定手段は、前記認証されたユーザの識別情報として前記第１のユーザ識別情報表示形式に基づくユーザの識別情報を前記ファイル名に含める、
ことを特徴とする請求項８から請求項１０のいずれか一項に記載の画像形成装置。
【手続補正２】
【補正対象書類名】明細書
【補正対象項目名】０００７
【補正方法】変更
【補正の内容】
【０００７】
請求項１に係る発明は、画像データを取得する画像データ取得手段と、予め登録された文字列と、時間と、ユーザを識別するためのユーザ識別情報とを含む形式で表されるデフォルトのファイル名を受け、前記画像データ取得手段によって画像の取得が行われた場合、前記デフォルトのファイル名のうちの前記時間と前記ユーザ識別情報とを、前記画像データ取得手段によって画像の取得が行われた時間と前記画像データ取得手段による画像の取得を指示したユーザのユーザ識別情報とに設定し、設定されたファイル名を前記画像データ取得手段によって取得された前記画像データに付与するファイル名設定手段と、を有することを特徴とする画像形成装置である。
【手続補正３】
【補正対象書類名】明細書
【補正対象項目名】０００８
【補正方法】変更
【補正の内容】
【０００８】
請求項２に係る発明は、請求項１に係る画像形成装置であって、前記ファイル名設定手段は、前記画像データ取得手段によって取得された画像データに対応する原稿の種類に応じた文字列を含む前記デフォルトのファイル名を受け、前記時間と前記ユーザ識別情報とを設定する、ことを特徴とする。
【手続補正４】
【補正対象書類名】明細書
【補正対象項目名】０００９
【補正方法】変更
【補正の内容】
【０００９】
請求項３に係る発明は、請求項１又は請求項２に係る画像形成装置であって、前記画像データ取得手段による画像の取得を含む画像処理の使用権限に関してユーザの認証処理を行う認証処理手段を更に有し、前記認証処理手段によってユーザが認証された場合、前記ファイル名設定手段は、前記デフォルトのファイル名のうちの前記ユーザ識別情報を、前記認証処理手段によって認証されたユーザを識別するためのユーザ識別情報に設定する、ことを特徴とする。
【手続補正５】
【補正対象書類名】明細書
【補正対象項目名】００１１
【補正方法】変更
【補正の内容】
【００１１】
請求項５に係る発明は、請求項１又は請求項２に係る画像形成装置であって、前記画像データ取得手段による画像の取得を含む画像処理の使用権限に関してユーザの認証処理を行う認証処理手段を更に有し、前記認証処理手段によってユーザが認証されていない場合、前記ファイル名設定手段は、前記デフォルトのファイル名のうちの前記時間を、前記画像データ取得手段によって画像の読み取りが行われた時間に設定し、前記ユーザ識別情報を含まないファイル名を生成して前記画像データに付与する、ことを特徴とする。
【手続補正６】
【補正対象書類名】明細書
【補正対象項目名】００１３
【補正方法】変更
【補正の内容】
【００１３】
請求項７に係る発明は、コンピュータに、予め登録された文字列と、時間と、ユーザを識別するユーザ識別情報とを含む形式で表されるデフォルトのファイル名を受けて、画像データ取得部によって画像の取得が行われた場合、前記デフォルトのファイル名のうちの前記時間と前記ユーザ識別情報とを、前記画像データ取得部によって画像の取得が行われた時間と前記画像データ取得部による画像の取得を指示したユーザのユーザ識別情報とに設定し、設定されたファイル名を前記画像データ取得部によって取得された前記画像データに付与するファイル名設定機能を、実現させることを特徴とするプログラムである。
請求項８に係る発明は、原稿上の画像を読み取って画像データを生成する画像読取手段と、予め登録された複数の文字列を表示し、当該複数の文字列から第１の文字列の選択を受け付ける操作手段と、前記画像データのファイル名に前記第１の文字列と前記画像の読み取り時間情報とを含めるファイル名設定手段と、を有することを特徴とする画像形成装置である。
請求項９に係る発明は、請求項８に係る画像形成装置であって、前記操作手段は、複数の時間情報表示形式を更に表示し、当該複数の時間情報表示形式から第１の時間情報表示形式の選択を受け付け、前記ファイル名設定手段は、前記読み取り時間情報として前記第１の時間情報表示形式に基づく時間情報を前記ファイル名に含める、ことを特徴とする。
請求項１０に係る発明は、請求項８又は請求項９に係る画像形成装置であって、当該画像形成装置の使用権限に関するユーザの認証処理を行う認証処理手段を更に有し、前記ファイル名設定手段は、前記認証処理手段によって認証されたユーザの識別情報を更に前記ファイル名に含める、ことを特徴とする。
請求項１１に係る発明は、請求項８から請求項１０のいずれか一項に係る画像形成装置であって、前記操作手段は、複数のユーザ識別情報表示形式を更に表示し、当該複数のユーザ識別情報表示形式から第１のユーザ識別情報表示形式の選択を受け付け、前記ファイル名設定手段は、前記認証されたユーザの識別情報として前記第１のユーザ識別情報表示形式に基づくユーザの識別情報を前記ファイル名に含める、ことを特徴とする。
【手続補正７】
【補正対象書類名】明細書
【補正対象項目名】００１９
【補正方法】変更
【補正の内容】
【００１９】
請求項６に係る発明によると、予め登録された文字列、時間及びユーザ識別情報が、ユーザによって選択された順番で表されるデフォルトのファイル名を生成することができる。
請求項８に係る発明によると、ファイル名に基づいて、選択された第１の文字列と読み取り時間とが特定される。
請求項９に係る発明によると、選択された表示形式に従って読み取り時間情報が表される。
請求項１０に係る発明によると、ファイル名に基づいて、認証されたユーザが特定される。
請求項１１に係る発明によると、選択された表示形式に従ってユーザの識別情報が表される。